(57)【要約】【課題】  回転自在に装着された回転刃の直進性を向上させ、かつ、紙の切断時にのみに回転刃を押し出すことで安全性を高めたペーパカッタを提供する。【解決手段】  ペーパカッタ本体と、紙固定機構と、カッタカートリッジと、回転刃を装備したカッタホルダと、からなるペーパカッタであって、前記紙固定機構は長板からなるスライドレールと、長片からなる紙固定部と、一対の接合アームと、断面略Ｕ字形の細長片からなる滑動面からなり、スライドレールの側面に、カッタカートリッジに保持されたカッタホルダから突出する回転刃の側面を摺動させる長片からなるガイドを設けた構成である。【選択図】  図１
2013141741.tif 000002
【特許請求の範囲】
【請求項１】
ペーパカッタ本体と、紙固定機構と、カッタカートリッジと、回転刃を装備したカッタホルダと、からなるペーパカッタにおいて、
前記紙固定機構は、カッターを走らせる溝の設けられた長板からなるスライドレールと、紙を固定する長片からなる紙固定部と、紙固定機構をペーパカッタ本体に紙の長手方向端に脱着自在に固設する一対の接合アームと、前記スライドレールに前記カッタカートリッジを滑動自在に嵌合する断面略Ｕ字形の細長片からなる滑動面とからなり、
前記カッタカートリッジの滑動に伴う紙の切断時にぶれが生じないように、前記スライドレールの側面に、前記カッタカートリッジに保持されたカッタホルダから突出する回転刃の側面を摺動させる長片からなるガイドを設けたことを特徴とするペーパカッタ。
【請求項２】
前記ガイドは、回転刃に対する側面からの当接状態を維持すると同時に、回転刃の押し出し時における回転刃およびガイドの破損を防止するため、ガイドの回転刃当接面に回転刃側に向けた傾斜角を付したことを特徴とする請求項１記載のペーパカッタ。
【請求項３】
前記ガイドは、回転刃当接面が角丸方形または半円形状であることを特徴とする請求項１または請求項２記載のペーパカッタ。
【請求項４】
前記カッタカートリッジは、回転刃を装備したカッタホルダを保持するカートリッジ本体と、カッタホルダの回転刃を操出するレバーと、カートリッジ本体と前記レバーを回転自在に接合するレバー接合部と、前記スライドレールの断面Ｕ字型滑動面に嵌合する滑動部と、からなり、
前記カートリッジ本体のカッタホルダ挿入部に、カッタホルダが挿脱自在に装着されるとともに、
前記レバーの押し下げ時に、カッタホルダに支持された回転刃をカッタホルダから押し出すために、レバー内側に押し出し凸部を設けたことを特徴とする請求項１乃至請求項３記載のペーパカッタ。
【請求項５】
前記紙固定機構の接合アームは、スライドレールの両端部に嵌脱自在に設けられるとともに、接合アームの抜脱時に、前記滑動面にカッタカートリッジを着脱可能とするために、アーム嵌合部を設けたことを特徴とする請求項１乃至請求項４記載のペーパカッタ。
【請求項６】
前記カッタホルダは、回転刃を保持するカッタホルダ本体と、スライド部に回転刃軸を介して回転自在に装着される回転刃と、回転刃を装着しカッタホルダ本体に移動可能に装備されるスライド部と、スライド部を摺動可能に保持するスライド溝と、スライド部の移動による回転刃の押し出しを抑制する制御バネと、からなり、
前記カッタカートリッジの押し出し凸部による押圧により回転刃を押し出すため、カッタホルダ上部に押し下げ孔を設けたことを特徴とする請求項１乃至請求項５記載のペーパカッタ。
【請求項７】
前記カッタホルダは、カッタホルダ本体を超音波溶着または熱溶着により封着したことを特徴とする請求項１乃至請求項６記載のペーパカッタ。
【発明の詳細な説明】
【技術分野】
【０００１】
本発明は、紙を直線的に切断する際に用いられるペーパカッタに関し、特に、回転自在に装着された回転刃の直進性を向上させ、かつ、紙の切断時にのみに回転刃を押し出すことで安全性を高めたペーパカッタに関する。
【背景技術】
【０００２】
従来より、紙を任意の箇所で直線的に切断する際に用いられるペーパカッタが開発されており、利便性、効率性に富んだ様々なペーパカッタが広く使用されている。ペーパカッタの基本的な構造は、ペーパカッタの本体と、本体に固定される紙を切断するための刃からなり、近年のペーパカッタは、交換可能の刃がカッタカートリッジに格納され、カートリッジがレールを摺動することで刃を動かし、本体に固定した紙を直線的に切断する構造となっており、容易に紙を切断することが可能となっている。
【０００３】
また、ペーパカッタは、刃を動かして紙を切断するため、刃によって負傷する事故を防ぐ必要がある。この問題を解決した技術として、例えば、特開平９−７６１８９号では、使用時の安全性が高く刃の交換も容易かつ安全に行うことができるペーパカッタとして、取付用ケースに上下スライド可能に取付けられるサークル刃カバーを設けて、刃取付ユニットの装着状態でサークル刃の刃先が露出可能となるように取付用ケースの下端縁から離脱するストッパ片を装備することにより、刃取付ユニットの離脱状態では、サークル刃の刃先が隠れた状態に確実に保持することができ、かつ、刃取付ユニットを本体に装着すれば、サークル刃の刃先が自動的に露出する技術が開示されている。
【０００４】
また、特開２００２−２３９２６６号では、ペーパカッタの操作時に露出するカッター刃に対して安全性を確保するため、非使用時ではカッター刃全体をカッターカセット内に収納して保持すると共に、使用時においては迅速にカッター刃を突出させるカッターカセットを使用する裁断具であって、カッターケースが外部に突出る第１突出部を備え、ケースホルダが内部に突出る第２突出部と第３突出部を備え、第１突出部と第２突出部を係合させることによりカッターケースを没入状態でケースホルダ内に保持する保持機構を形成し、第３突出部を操作して前記第１突出部を内部に押込み、前記第１突出部と前記第２突出部の係合を外すことにより、保持機構を解除する解除機構を形成する技術が開示されている。
【０００５】
これらの技術によれば、カッター刃に対する安全性の確保が可能となる。しかし、使用時の安全性は充分確保できるが、紙を正確に直線的に切断するという機能の確保が充分にされているとはいえなかった。すなわち、上記技術では、安全性を重視するために刃を上下移動可能に構成することから、回転刃は固定されず、常に不安定な状態となる。紙の切断時に回転刃が固定されることで直線的な切断が可能となるのであり、従来技術では、この回転刃の固定が充分なされているとはいえず、ペーパカッタの機能から考えると使用性に優れているとはいえなかった。
【０００６】
そこで、回転刃の直進性がよく、安全性や使用性の高いペーパカッタの開発が望まれていた。
【特許文献１】特開平９−７６１８９号公報
【特許文献２】特開２００２−２３９２６６号公報
【発明の開示】
【発明が解決しようとする課題】
【０００７】
本発明は上記問題を解決するために、回転自在に装着された回転刃の直進性を向上させ、かつ、紙の切断時にのみに回転刃を押し出す構成とすることで安全性を高めたペーパカッタを提供することを目的とする。
【課題を解決するための手段】
【０００８】
上記の目的を達成するために本発明にかかるペーパカッタは、ペーパカッタ本体と、紙固定機構と、カッタカートリッジと、回転刃を装備したカッタホルダと、からなるペーパカッタであって、前記紙固定機構は、カッターを走らせる溝の設けられた長板からなるスライドレールと、紙を固定する長片からなる紙固定部と、紙固定機構をペーパカッタ本体に紙の長手方向端に脱着自在に固設する一対の接合アームと、前記スライドレールに前記カッタカートリッジを滑動自在に嵌合する断面略Ｕ字形の細長片からなる滑動面とからなり、前記カッタカートリッジの滑動に伴う紙の切断時にぶれが生じないように、前記スライドレールの側面に、前記カッタカートリッジに保持されたカッタホルダから突出する回転刃の側面を摺動させる長片からなるガイドを設けた構成である。
【０００９】
また、前記ガイドは、回転刃に対する側面からの当接状態を維持すると同時に、回転刃の押し出し時における回転刃およびガイドの破損を防止するため、ガイドの回転刃当接面に回転刃側に向けた傾斜角を付した構成である。
さらに、前記ガイドは、回転刃当接面を角丸方形または半円形状とした構成である。
【００１０】
また、前記カッタカートリッジは、回転刃を装備したカッタホルダを保持するカートリッジ本体と、カッタホルダの回転刃を操出するレバーと、カートリッジ本体と前記レバーを回転自在に接合するレバー接合部と、前記スライドレールの滑動面に嵌合する滑動部と、からなり、前記カートリッジ本体のカッタホルダ挿入部に、カッタホルダが挿脱自在に装着されるとともに、前記レバーの押し下げ時に、カッタホルダに支持された回転刃をカッタホルダから押し出すために、レバー内側に押し出し凸部を設けた構成である。
【００１１】
また、前記紙固定機構の接合アームは、スライドレールの両端部に嵌脱自在に設けられるとともに、接合アームの抜脱時に、前記滑動面にカッタカートリッジを着脱可能とするために、アーム嵌合部を設けた構成である。
【００１２】
また、前記カッタホルダは、回転刃を保持するカッタホルダ本体と、スライド部に回転刃軸を介して回転自在に装着される回転刃と、回転刃を装着しカッタホルダ本体に移動可能に装備されるスライド部と、スライド部を摺動可能に保持するスライド溝と、スライド部の移動による回転刃の押し出しを抑制する制御バネと、からなり、前記カッタカートリッジの押し出し凸部による押圧により回転刃を押し出すため、カッタホルダ上部に押し下げ孔を設けた構成である。
【００１３】
また、前記カッタホルダは、カッタホルダ本体を超音波溶着または熱溶着により封着した構成である。
【発明の効果】
【００１４】
本発明は、上記詳述した通りの構成であるので、以下のような効果がある。
１．スライドレールの側面に、回転刃の側面を摺動させるガイドを設けたため、カッタカートリッジの滑動に伴う紙の切断時に回転刃のぶれが生じず、直線的に紙を切断することが可能となる。
２．ガイドの回転刃との当接面に、回転刃側に向けて傾斜角を付したため、回転刃に対する側面からの当接状態を維持でき、かつ、回転刃の押し出し時に回転刃およびガイドが接触することによって双方が破損することを防止できる。
【００１５】
３．ガイドの回転刃と当接する面を角丸方形または半円形状としたため、回転刃とガイドの当接状態の維持と、回転刃を押し出すときの回転刃およびガイドの破損防止のほか、回転刃をスムーズに摺動させることができる。
４．カッタホルダの回転刃を操出するレバー内側に押し出し凸部を設けたため、レバーを押し下げた時のみ、カッタホルダに支持された回転刃がカッタホルダから押し出されることになり、カッター刃に対する安全性を確保できる。
【００１６】
５．紙固定機構の接合アームにアーム嵌合部を設けたため、接合アームの抜脱が容易となるとともに滑動面へのカッタカートリッジの着脱が自由となり、ペーパカッタの搬送時や収納時の省スペース化が実現できる。
６．カッタホルダ上部に押し下げ孔を設けたため、カッタカートリッジの押し出し凸部による押圧時のみ回転刃を押し出すことが可能となり、カッター刃に対する安全性を確保できる。
７．カッタホルダ本体を超音波溶着または熱溶着により封着して、カッタホルダを容易に分解することができない構成としたため、カッター刃に対する安全性の確保が可能となる。
【発明を実施するための最良の形態】
【００１７】
以下、本発明に係るペーパカッタを、図面に示す実施例に基づいて詳細に説明する。図１は、本発明のペーパカッタの斜視図であり、図２は、紙固定機構の分解斜視図である。図３は、カッタカートリッジの側面断面図であり、図４は、カッタカートリッジの使用状態を示す斜視図である。図５は、カッタカートリッジの不使用時の斜視図であり、図６は、カッタカートリッジの分解斜視図である。図７は、カッタカートリッジの側面断面図であり、図８は、カッタカートリッジのレバー押し下げ時の斜視図である。図９は、カッタホルダの分解斜視図であり、図１０は、カッタカートリッジ収納状態のペーパカッタの斜視図である。
【００１８】
本発明に係るペーパカッタは、ペーパカッタ本体１０と、紙固定機構２０と、カッタカートリッジ収納部３０と、紙当て定規４０と、カッタホルダ収納部５０と、カッタカートリッジ１００と、カッタホルダ２００とからなる平板状の紙用裁断器である。本発明に係るペーパカッタは、図１に示すように、紙固定機構２０がペーパカッタ本体１０に固設され、紙固定機構２０に設置されるカッタカートリッジ１００が紙固定機構２０のスライドレール２２の滑動面２３上を摺動することにより、カッタカートリッジ１００内に設けられる回転刃が紙に当接し、紙固定機構２０によって固定された紙を切断する構成となっている。
【００１９】
ペーパカッタ本体１０は、ペーパカッタの土台となる平板状の部材であり、ペーパカッタ本体１０の上に紙が置かれて切断される。ペーパカッタ本体１０の材質は特に限定されるものではないが、カッタカートリッジ１００を上から押圧しつつ摺動させて紙を切断するため、強固かつ適度な重量とすることが望ましい。本実施例では、ペーパカッタ本体１０をプラスチックで構成するとともに、内部に重錘を設置して、使用時の安定性を確保している。
【００２０】
紙固定機構２０は、図２に示すように、切断する紙を固定するとともに、カッタカートリッジを滑動自在に保持する部材であり、スライドレール２２と、滑動面２３と、ガイド２４と、接合アーム２５と、紙固定部２９とからなる。
【００２１】
スライドレール２２は、カッタカートリッジ１００を走らせる溝の設けられた長板であり、滑動面２３とガイド２４が設けられる。滑動面２３は、カッタカートリッジ１００が滑動走行する断面略Ｕ字形の細長片からなる面を構成する。
【００２２】
滑動面２３の断面Ｕ字型の内部には、図３に示すように、後述のカッタカートリッジ１００に設けられる滑動部１３０が滑動自在に嵌合して面上を走行する。これにより、カッタカートリッジ１００は滑動面２３に沿って長手方向に容易に往復移動が可能となり、安定した紙の切断が可能となる。
【００２３】
滑動面２３は、その材質として、プラスチックや鉄等適宜選択することが可能であるが、滑動部１３０が滑動自在に嵌合する構成となっていることから、強度が高い材質とすることが望ましい。本実施例では、軽量化の観点も含め、滑動面２３の材質としてステンレス等を使用している。
【００２４】
スライドレール２２には、更に、ガイド２４が設けられる。ガイド２４は、図２に示すように、スライドレール２２の側面に設けられる長片からなる部材であり、図３に示すように、紙の切断時にカッタカートリッジ１００に保持されたカッタホルダ２００から突出する回転刃２２０の側面が当接して、カッタカートリッジ１００の移動時に回転刃２２０がガイド２４を摺動する。これにより、回転刃２２０の動作が安定する。
【００２５】
紙の切断時に紙を正確に直線的に切断するためには、回転刃２２０が安定して回転移動する必要がある。本実施例では、安全性の観点から刃を上下移動可能に構成しているため、回転刃２２０が固定されず紙の切断時に刃の直進性が保証されず、ぶれが生じる可能性がある。そこで、刃の位置を安定させるためのガイド２４を設けている。これにより、紙の切断時に回転刃２２０が固定されて紙の直線的な切断が可能となった。
【００２６】
また、ガイド２４は、回転刃２２０当接面に回転刃２２０側に向けて傾斜角を付す構成とすることが可能である。この形状とすることにより、回転刃２２０に対する側面からの当接状態を維持することが可能となり、直進性の高い紙の切断が実現され、安定性に優れたペーパカッタの提供が可能となる。また、回転刃２２０の押し出し時に回転刃の刃先がガイド２４の上面に圧接することにより回転刃２２０とガイド２４が破損する虞があったが、ガイドに傾斜を設けているので、紙切断時に押し出される回転刃２２０の刃先がガイド２４の当接面に沿って下降することになり、回転刃２２０およびガイド２４の破損を防ぐことが可能となった。
【００２７】
また、ガイド２４は、回転刃２２０当接面を角丸方形または半円形状に構成することが可能である。この構成とすることにより、回転刃２２０に対する側面からの当接状態を維持でき、かつ、紙切断時に押し出される回転刃２２０の刃先がガイド２４の当接面に沿って下降して回転刃２２０およびガイド２４の破損を防ぐことが可能となると同時に、ガイド２４の回転刃２２０当接面の磨耗を抑え、長期に亘り使用可能な耐久性のあるテープカッタを提供することが可能となった。
【００２８】
ガイド２４は、その材質として、プラスチックや鉄等を適宜に選択することが可能であるが、回転刃２２０が摺動する構造上、回転刃２２０による磨耗を抑制する材質である事が望ましい。そのため、本実施例では、ガイド２４の材質としてアルミニウムを使用し、さらにこれに硬質アルマイト処理を施しているがこれに限定されるものではなく、例えばステンレスを選択することも可能である。なお、本実施例のようにアルミニウムに硬質アルマイト処理を施すことにより、耐摩耗性のほか、耐食性の点でも優れたペーパカッタを構成することができる。
【００２９】
接合アーム２５は、紙固定機構２０を挟持する一対の部材であり、スライドレール２２の両端に嵌脱自在に設けられ、紙固定機構２０をペーパカッタ本体１０に紙の長手方向端に脱着自在に固設する。接合アーム２５には、アーム接合軸２６と、アーム嵌合部２７が設けられる。アーム接合軸２６は円筒形状の凸状部材であり、ペーパカッタ本体１０に設けられる凹状部材の紙固定機構接合部１２に嵌合することで紙固定機構２０が回動自在に固設される。
【００３０】
アーム嵌合部２７は、接合アーム２５のスライドレール２２への接合面に設けられる部材であり、スライドレール２２に挿嵌する凸状部材である。アーム嵌合部２７を設けることにより、図４に示すように、図４のＺ方向に接合アーム２５をずらすことで、スライドレール２２と接合アーム２５が嵌脱可能となり、滑動面２３にカッタカートリッジ１００を着脱自在に嵌合することが可能となった。なお、接合アーム２５の意図しない脱落を防止するため、アーム嵌合部２７を固定するロック機構（図示せず）を設けることが可能である。
【００３１】
紙固定部２９は、紙の切断時に紙を固定するための長片からなる部材であり、紙固定機構２０にスライドレール２２と平行に固設される。紙固定部２９は切断する紙を押圧固定することによって安定した紙の切断を可能とする部材である。紙固定部２９は、回転刃２２０の滑動範囲を下回らない長さを持つ必要があり、本実施例では、紙の切断方向にスライドレール２２と略同一の長さで構成している。
【００３２】
カッタカートリッジ収納部３０は、カッタカートリッジ１００を固定保持する部材である。カッタカートリッジ１００は、接合アーム２５の脱抜により取外し可能に構成されているため、カッタカートリッジ１００の取外しにより、カッタカートリッジ１００の紛失の虞が考えられる。カッタカートリッジ収納部３０はカッタカートリッジ１００を固定保持可能に構成されているため、図１０に示すように、取外し後のカッタカートリッジ１００をカッタカートリッジ収納部３０に収納することにより、カッタカートリッジ１００の紛失を防ぐことか可能となる。
【００３３】
紙当て定規４０は、任意の幅で紙を切断するために使用する切断長測定部材であり、ペーパカッタ本体１０に紙固定機構２０と平行に設けられる。紙当て定規４０は、ペーパカッタ本体１０の紙を置く上面に紙固定機構２０方向にスライド可能な状態で接合される。これにより、紙を意図する幅で切断することが可能となり、かつ設置方向に対して垂直に切断することが可能となった。
【００３４】
カッタホルダ収納部５０は、カッタカートリッジ１００が保持するカッタホルダ２００の予備を収納する部材であり、複数のカッタホルダ２００を格納することが可能である。これにより、回転刃２２０の磨耗による交換が必要な際に素早くカッタホルダ２００を取り出すことが可能となり、使用上の利便性が向上した。
【００３５】
カッタカートリッジ１００は、カッタホルダ２００を挿脱自在に装着する部材であり、図５に示すように、カートリッジ本体１１０と、レバー１２０と、レバー接合部１１２と、レバー接合軸１１４と、滑動部１３０とからなり、スライドレール２２の滑動面２３に沿ってスライドさせて紙を切断する。
【００３６】
カートリッジ本体１１０は、図６に示すように、回転刃２２０を装備したカッタホルダ２００を保持する箱体である。カートリッジ本体１１０内に設けられたカッタホルダ２００と三辺略同寸の空洞であるカッタホルダ挿入部１４０に、カッタホルダ２００を挿脱自在に装着する。また、レバー接合部１１２は、カッタカートリッジ本体１１０とレバー１２０を回転自在に接合する軸受であり、レバー１２０は、レバー接合部１１２により、レバー接合部１１２のレバー接合軸１１４を介してカートリッジ本体１１０に軸着される。
【００３７】
また、滑動部１３０は、前記スライドレール２２の滑動面２３に嵌合する部材であり、カッタカートリッジ１００は、滑動部１３０が滑動面２３に嵌合することで、滑動自在に装着される。滑動部１３０と滑動面２３に隙間が存在すると、カッタカートリッジ１００が滑動時に不安定となり、紙の直線的な切断が不可能となるため、滑動部１３０と滑動面２３が隙間なく嵌合するように、滑動部１３０の凹部の形状と大きさは滑動面２３と略同一とすることが望ましい。
【００３８】
また、滑動部１３０は、その材質として、プラスチックや鉄等適宜選択することが可能であるが、滑動面２３に滑動自在に嵌合する構成となっていることから、強度が高い材質とすることが望ましい。本実施例では、軽量化の観点も含め、滑動部１３０の材質としてステンレス等を使用している。
【００３９】
レバー１２０は、押し下げ時にカッタホルダ２００に格納される回転刃２２０を操出する。レバー１２０内部には、図７に示すように、押し出し凸部１２２が設けられる。レバー１２０を押し下げると、図８に示すように、押し出し凸部１２２が、カッタホルダ２００の上部に設けられた孔よりカッタホルダ２００に支持された回転刃２２０を押し出す。これにより、紙の切断時にレバー１２０を押し下げた場合にだけ回転刃２２０がカッタホルダ２００から押し出されることになる。すなわち、切断時以外には回転刃２２０が外部に露出せず、極めて安全性の高いペーパカッタを提供することが可能となった。
【００４０】
カッタホルダ２００は、回転刃２２０を格納保持する箱体であり、図９に示すように、カッタホルダ本体２１０と、スライド溝２１６と、回転刃２２０と、スライド部２３０と、回転刃軸２４０と、制御バネ２５０とからなる。
【００４１】
カッタホルダ本体２１０は、回転刃２２０を格納する箱体である。回転刃２２０は、回転刃軸２４０を介してカッタホルダ本体２１０内に回転自在に装着される。また、スライド部２３０は、カッタホルダ本体２１０内部において回転刃２２０を保持する部材であり、回転刃２２０はスライド部２３０に回転刃軸２４０を介してカッタホルダ本体２１０内部に格納される。更に、スライド部２３０はカッタホルダ本体２１０内に上下に移動可能となるように装備される。
【００４２】
スライド溝２１６は、スライド部２３０を摺動可能に保持するカッタホルダ本体２１０内部に設けられる溝である。スライド溝２１６はスライド部２３０と縦横が略同一の幅で構成され、回転刃２２０を保持するスライド部２３０は、スライド溝２１６に沿ってカッタホルダ本体２１０内で移動自在に装備される。
【００４３】
回転刃軸２４０は、回転刃２２０をスライド部２３０に回転自在に固定する軸体である。回転刃軸２４０は、本実施例では、スライド部２３０側面と面一となるよう、スライド部２３０側面から張出さない長さとしている。これにより、省スペースを実現できると同時に、紙切断時の押圧による回転刃軸２４０のカッタホルダ本体２１０内への当接がなくなり、破損の虞を軽減することが可能となった。
【００４４】
さらに、カッタホルダ本体２１０内部には制御バネ２５０が設けられる。制御バネ２５０は、カッタホルダ本体２１０とスライド部２３０に係合する部材であり、スライド部２３０は、制御バネ２５０によって回転刃２２０がカッタホルダ本体２１０から押し出されないよう付勢され、回転刃２２０の押し出しが抑制されている。
【００４５】
カッタホルダ２００には、回転刃２２０を押し出すための押し下げ孔２１２と、回転刃２２０の出口となる押し出し孔２１４が設けられる。カッタカートリッジ１００のレバー１２０押し下げ時に、押し出し凸部１２２が押し下げ孔２１２に挿入され、上部から回転刃２２０を保持するスライド部２３０を押し下げる。この押し出し凸部１２２による押圧により、スライド部２３０が押し下げられ、回転刃２２０が押し出し孔２１４から押し出される。
【００４６】
レバー１２０の押し下げを中止した場合には、制御バネ２５０による付勢により、スライド部２３０が押し上げられ、押し出し孔２１４から押し出された回転刃２２０はカッタホルダ２００に収納される。これにより、切断時以外には回転刃２２０が外部に露出せず、極めて安全性の高いペーパカッタを提供することが可能となった。
【００４７】
カッタホルダ２００は、カッタホルダ本体２１０を超音波溶着または熱溶着により封着することが可能である。これにより、カッタホルダを容易に分解することができない構成となるため、回転刃２２０に対する更なる安全性の確保が可能となった。
【図面の簡単な説明】
【００４８】
【図１】本発明のペーパカッタの斜視図
【図２】紙固定機構の分解斜視図
【図３】カッタカートリッジの側面断面図
【図４】カッタカートリッジの使用状態を示す斜視図
【図５】カッタカートリッジの不使用時の斜視図
【図６】カッタカートリッジの分解斜視図
【図７】カッタカートリッジの側面断面図
【図８】カッタカートリッジのレバー押し下げ時の斜視図
【図９】カッタホルダの分解斜視図
【図１０】カッタカートリッジ収納状態のペーパカッタの斜視図
【符号の説明】
【００４９】
１０    ペーパカッタ本体
１２    紙固定機構接合部
２０    紙固定機構
２２    スライドレール
２３    滑動面
２４    ガイド
２５    接合アーム
２６    アーム接合軸
２７    アーム嵌合部
２９    紙固定部
３０    カッタカートリッジ収納部
４０    紙当て定規
５０    カッタホルダ収納部
１００    カッタカートリッジ
１１０    カッタカートリッジ本体
１１２    レバー接合部
１１４    レバー接合軸
１２０    レバー
１２２    押し出し凸部
１３０    滑動部
１４０    カッタホルダ挿入部
２００    カッタホルダ
２１０    カッタホルダ本体
２１２    押し下げ孔
２１４    押し出し孔
２１６    スライド溝
２２０    回転刃
２３０    スライド部
２４０    回転刃軸
２５０    制御バネ
【図１】
2013141741.tif 000003
【図２】
2013141741.tif 000004
【図３】
2013141741.tif 000005
【図４】
2013141741.tif 000006
【図５】
2013141741.tif 000007
【図６】
2013141741.tif 000008
【図７】
2013141741.tif 000009
【図８】
2013141741.tif 000010
【図９】
2013141741.tif 000011
【図１０】
2013141741.tif 000012